(57)【要約】【課題】  冷房運転時に背面ケースの裏面に着露するのを防止できる空気調和機の室内機を得る。【解決手段】  室内の壁面に設置される空気調和機の室内機１であって、上部の吸込口２から前面側下部の吹出口３に室内空気を送風する送風ファン５と、送風ファン５の上流側に配置される熱交換器４ａ，４ｂと、送風ファン５より壁面寄りに位置して熱交換器４ａ，４ｂを支持する背面ケース１１と、を有し、背面ケース１１を、送風ファン５から吹出される空気の吹出風路６を形成する吹出風路壁部材２１と、吹出風路壁部材２１の背面側に位置し、室内の壁面に固定される据付板９に取り付けられる据付部材２２と、を前後に並列して構成し、吹出風路壁部材２１の吹出風路壁２１ｄの背面と据付部材２２との間に第一の空間Ｓを形成する。【選択図】        図２
2016023891.tif 000002
【特許請求の範囲】
【請求項１】
室内の壁面に設置される空気調和機の室内機であって、
上部の吸込口から前面側下部の吹出口に室内空気を送風する送風ファンと、該送風ファンの上流側に配置される熱交換器と、前記送風ファンより前記壁面寄りに位置して前記熱交換器を支持する背面ケースと、を有し、
前記背面ケースが、
前記送風ファンから吹出される空気の吹出風路を形成する吹出風路壁部材と、
該吹出風路壁部材の背面側に位置し、前記壁面に固定される据付板に取り付けられる据付部材と、を前後に並列して構成され、
前記吹出風路壁部材の吹出風路壁の背面と前記据付部材との間に第一の空間が形成されることを特徴とする空気調和機の室内機。
【請求項２】
前記第一の空間に断熱材が設置されることを特徴とする請求項１に記載の空気調和機の室内機。
【請求項３】
前記吹出風路壁部材は、前記熱交換器であって前記送風ファンの背面側に配置される熱交換器の下方に、前記熱交換器で着露して落下する水滴を受ける断面Ｌ字形状のドレンパン部を有することを特徴とする請求項１または請求項２に記載の空気調和機の室内機。
【請求項４】
前記ドレンパン部と前記据付部材との間に第二の空間が形成されることを特徴とする請求項３に記載の空気調和機の室内機。
【請求項５】
前記第二の空間に断熱材が設置されることを特徴とする請求項４に記載の空気調和機の室内機。
【請求項６】
前記断熱材は前記吹出風路壁部材の背面に接して固定され、その断熱材の背面側に前記据付部材が固定されることを特徴とする請求項２または請求項５に記載の空気調和機の室内機。
【請求項７】
前記据付部材は前記吹出風路壁部材よりも上下方向に長く、前記据付部材の下端部に前記吹出風路壁部材の下端部が固定され、前記据付部材が前記吹出風路壁部材よりも上方に突出して組み合わされることを特徴とする請求項１〜請求項６のいずれか１項に記載の空気調和機の室内機。
【請求項８】
室内の壁面に設置される空気調和機の室内機であって、
上部の吸込口から前面側下部の吹出口に室内空気を送風する送風ファンと、該送風ファンの上流側に配置される熱交換器と、前記送風ファンより前記壁面寄りに位置して前記熱交換器を支持する背面ケースと、を有し、
前記背面ケースが、
前記送風ファンから吹出される空気の吹出風路を形成する吹出風路壁部材と、
該吹出風路壁部材の背面側に位置し、前記壁面に固定される据付板に取り付けられる据付部材と、を前後に並列して構成され、
前記吹出風路壁部材は、前記熱交換器であって前記送風ファンの背面側に配置される熱交換器の下方に、前記熱交換器で着露して落下する水滴を受ける断面Ｌ字形状のドレンパン部を有することを特徴とする空気調和機の室内機。
【請求項９】
前記据付部材の背面側に、接続配管を収納する配管収納部が形成されることを特徴とする請求項１〜請求項８のいずれか１項に記載の空気調和機の室内機。
【発明の詳細な説明】
【技術分野】
【０００１】
この発明は、空気調和機の室内機に関し、特に室内壁面に設置される壁掛けタイプの室内機の構造に関するものである。
【背景技術】
【０００２】
室内機と室外機とを有するセパレート型の空気調和機の室内機にあって、空調する部屋の壁面上部に設置される室内機の多くは、室内機の筐体の上面に室内空気の入口となる吸込口が形成されている。さらに筐体の内部には熱交換器と送風ファンを有し、送風ファンの回転によって上面の吸込口から筐体内部に導いた室内空気を熱交換器にて冷やしたり暖めたりして調和空気とし、筐体の前面側下部に形成される吹出口から室内へと吹き出している。
【０００３】
送風ファンの背面側には、送風ファンで送風された室内空気を前述の吹出口に導く吹出風路壁が形成されている。この吹出風路壁が一体に形成された背面ケースに熱交換器及び送風ファンが保持されて、室内の設置壁面に取り付けられる据付板に固定される。（例えば特許文献１参照。）
【先行技術文献】
【特許文献】
【０００４】
【特許文献１】特開２００４−６９１０５号公報（図１）
【発明の概要】
【発明が解決しようとする課題】
【０００５】
特許文献１に示された空気調和機の室内機においては、冷房運転時には、熱交換器で冷却されて室内空気よりも温度が低下した調和空気が吹出風路を流れるので、吹出風路壁もその調和空気によって冷やされる。このため、背面ケースの裏側の空間に出入りする空気中に含まれる水分が、吹出風路壁によって冷やされて凝縮し、背面ケースの裏面に水滴（着露水）となって付着する。この着露水を放置しておくと、室内の床面に水滴が落下する恐れがある。
【０００６】
このような背面ケースの裏面の着露水が室内の床面に落下するのを防止するためには、背面ケースの裏側に、着露水が室内機の外部へ落下しないような手段、例えば着露水を回収して室外に導く着露水回収機構等の水滴落下防止手段が必要であるという課題があった。
【０００７】
この発明は、上記のような課題を解決するためになされたもので、冷房運転時に、背面ケースの裏面に着露水が付着するのを防止することを目的とするものである。
【課題を解決するための手段】
【０００８】
この発明による空気調和機の室内機は、
室内の壁面に設置される空気調和機の室内機であって、
上部の吸込口から前面側下部の吹出口に室内空気を送風する送風ファンと、該送風ファンの上流側に配置される熱交換器と、前記送風ファンより前記壁面寄りに位置して前記熱交換器を支持する背面ケースと、を有し、
前記背面ケースが、
前記送風ファンから吹出される空気の吹出風路を形成する吹出風路壁部材と、
該吹出風路壁部材の背面側に位置し、前記壁面に固定される据付板に取り付けられる据付部材と、を前後に並列して構成され、
前記吹出風路壁部材の吹出風路壁の背面と前記据付部材との間に第一の空間が形成されることを特徴とする。
【発明の効果】
【０００９】
この発明によれば、冷房運転時に、背面ケースの裏面に着露水が付着するのを防止できる空気調和機の室内機を得ることができる。
【図面の簡単な説明】
【００１０】
【図１】この発明の実施の形態１に係る空気調和機の室内機を示す斜視図である。
【図２】図１の室内機の縦断面図である。
【図３】この発明の実施の形態１における背面ケースを構成する吹出風路壁部材と据付部材とを分解して示す斜視図である。
【図４】この発明の実施の形態１における吹出風路壁部材を示す縦断面図である。
【図５】この発明の実施の形態１における据付部材を示す縦断面図である。
【図６】この発明の実施の形態１における背面ケースを示す縦断面図である。
【図７】この発明の実施の形態１における背面ケースを示す説明図である。
【図８】図７のＸ−Ｘ断面を示す説明図である。
【図９】図７のＹ−Ｙ断面を示す説明図である。
【図１０】図７のＺ−Ｚ断面を示す説明図である。
【図１１】この発明の実施の形態１に係る空気調和機の室内機の他の構成例を示す縦断面図である。
【図１２】この発明の実施の形態２に係る空気調和機の室内機を示す縦断面図である。
【図１３】この発明の実施の形態２に係る空気調和機の室内機の他の構成例を示す縦断面図である。
【図１４】この発明の実施の形態３に係る空気調和機の室内機を示す縦断面図である。
【発明を実施するための形態】
【００１１】
実施の形態１．
図１は、この発明の実施の形態１に係る空気調和機の室内機を示す斜視図である。図２は図１に示した室内機の縦断面図である。この室内機１は、屋外に設置される室外機（図示せず）と冷媒配管で接続されており冷凍サイクル回路が構成されている。
【００１２】
室内機１は、空調する部屋の壁面上部に設置される壁掛けタイプであり、図に示すように、背面ケース１１、側面パネル１２、前面パネル１３から、左右方向が長い直方体状の筐体１０を構成する。その筐体１０の内部に、送風ファン５と、その送風ファン５の上流側に送風ファン５を覆うように、熱交換器４が配置されている。熱交換器４は、筐体１０内部の前面側に配置される前面側熱交換器４ａと背面側に配置される背面側熱交換器４ｂとから構成されている。送風ファン５は細長い円筒状のクロスフローファンで、その長手方向が筐体１０の左右方向になるように水平に配置されている。また、熱交換器４及び送風ファン５は長手方向の両端部で背面ケース１１によって支持されている。背面ケース１１の両端は、図１に示すように側面パネル１２によってカバーされており、背面ケース側面１１ａのみが外側に露出している。背面ケース１１の詳細な構成は後述する。
【００１３】
なお、ここで、室内機１に対して、この室内機１が設置される部屋の壁面側の方向を背面側や後方、または後側、裏側、その反対方向を前面側や前方、または正面側、前側と記載し、この前面側と背面側を結ぶ方向を前後方向もしくは奥行き方向と記載する。また、直方体状の筐体１０が伸びる方向を、長手方向、左右方向、送風ファン５の回転軸方向と記載する。
【００１４】
筐体１０の上面には、室内空気の入り口となる吸込口２が設けられ、筐体１０の前面側下部には、室内機１の左右方向に長く伸びる吹出口３が形成されている。この吹出口３が伸びる方向と筐体１０の長手方向とは同じ方向となる。前面側熱交換器４ａの下側には、前面側熱交換器４ａの表面で着露した水滴を受けるドレンパン７が形成され、ドレンパン７に集められた着露水は、排水機構（図示せず）にて室外へと導かれる。
【００１５】
背面ケース１１の前面側には、送風ファン５から吹き出す空気が流れて吹出口３に至る吹出風路６が設けられる。上側吹出風路壁２１ｃと下側吹出風路壁２１ｄから成る吹出風路壁２１ａは吹出風路６に対して凹むように湾曲した形状に形成され、吹出風路６の背面壁を構成する。背面ケース１１の裏側には、据付板９との間に冷媒配管等８が収納される接続配管収納部２３が形成される。
【００１６】
背面ケース１１は、送風ファン５の背面側に位置する吹出風路壁部材２１と、吹出風路壁部材２１のさらに背面側に位置する据付部材２２との、２つの部材で構成される。吹出風路壁部材２１と据付部材２２とは前後方向に距離をあけて並列して配置され、左右方向にはどちらも筐体１０の長手方向に伸びる形状である。吹出風路壁部材２１と据付部材２２とは前後方向に距離をあけて配置されることで、吹出風路壁部材２１の吹出風路壁２１ａの背面側と据付部材２２との間に、第一の空間Ｓが形成される。
【００１７】
第一の空間Ｓ（以下、空間Ｓと記す）は、前後方向には、例えば０．５ｍｍ〜１０ｍｍ程度、左右方向には筐体１０の長手方向と同程度に伸びる空間である。
【００１８】
図３は背面ケース１１を構成する吹出風路壁部材２１と据付部材２２とを分解して示す斜視図、図４は吹出風路壁部材２１の左右方向の中央部における縦断面図、図５は据付部材２２の左右方向の中央部における縦断面図、図６は吹出風路壁部材２１と据付部材２２を組み合わせた背面ケース１１を示す縦断面図である。据付部材２２は吹出風路壁部材２１よりも上下方向に長く構成されている。
【００１９】
送風ファン５より壁面寄りに位置する吹出風路壁部材２１は、図３及び図４に示すように、吹出風路６の背面側の壁を形成する吹出風路壁２１ａと、吹出風路壁２１ａの背面側へと断面Ｌ字状に伸びるドレンパン部２１ｂを有する。吹出風路壁２１ａは、裏面にドレンパン部２１ｂが形成される上側吹出風路壁２１ｃと、ドレンパン部２１ｂよりも下方の下側吹出風路壁２１ｄから成る。この上側吹出風路壁２１ｃから下側吹出風路壁２１ｄに至る全体で、吹出風路６に対して凹むように湾曲した形状の吹出風路壁２１ａを形成する。
【００２０】
また、上側吹出風路壁２１ｃの後方には背面側熱交換器４ｂが配置され、その下側にドレンパン部２１ｂが位置する。ドレンパン部２１ｂは、背面側熱交換器４ｂの下側を通り、さらに背面側熱交換器４ｂの後側で上方に伸びる形状である。背面側熱交換器４ｂの下側は、上側吹出風路壁２１ｃの裏面とドレンパン部２１ｂとで断面凹状に形成され、背面側熱交換器４ｂで着露して落下する水滴を受ける。ドレンパン部２１ｂの背面側で上方に伸びた先端には、長手方向の数か所に、据付部材２２に固定されるため後側に凸形状の爪部２１ｅを有する。
【００２１】
吹出風路壁部材２１の長手方向の左端には左側板２１ｈ、右端には右側板２１ｉが形成され、送風ファン５が回転可能な状態で支持される。前面側熱交換器４ａと背面側熱交換器４ｂも左側板２１ｈ及び右側板２１ｉによって両端部が保持される。
【００２２】
据付部材２２は、図３及び図５に示すように、下側吹出風路壁２１ｄに対向する吹出風路壁対向部２２ａ、この吹出風路壁対向部２２ａに続いてドレンパン部２１ｂに対向するドレンパン部対向部２２ｂ、ドレンパン部対向部２２ｂの背面側から上方に上端２２ｄまで伸びる部分を有する。上端２２ｄは筐体１０の上面と同様の位置であり、この上端２２ｄの長手方向の数か所に形成されている爪を金属製の据付板９（図２参照）に引っ掛けて、据付部材２２が空調する部屋の壁面に固定される。また、据付部材２２の上端２２ｄよりも低い位置で吹出風路壁部材２１の爪部２１ｅと一致する位置に、爪部２１ｅが挿入されて固定される爪固定部２２ｃを有する。
【００２３】
また、吹出風路壁部材２１の下端部２１ｇと据付部材２２の下端部２２ｇとを位置合わせするため、長手方向の数か所に例えば凹凸による嵌め合わせ部を有する。そして、下端部２１ｇ、２２ｇの長手方向の両端に、ボルト固定するための通し穴２１ｆとねじ穴２２ｆを有する。
【００２４】
吹出風路壁部材２１の爪部２１ｅを据付部材２２の爪固定部２２ｃに固定し、吹出風路壁部材２１の通し穴２１ｆと据付部材２２のねじ穴２２ｆをボルトでねじ締結して、図６に示すように吹出風路壁部材２１と据付部材２２とが組み合わされて、背面ケース１１が構成される。
【００２５】
なお、吹出風路壁部材２１と据付部材２２とを組み合わせるための構成として、例えば爪部２１ｅと爪固定部２２ｃによる爪固定や、通し穴２１ｆとねじ穴２２ｆでボルト固定としたが、これに限るものではない。どちらも爪固定、またはボルト固定としてもよいし、接着してもよい。
【００２６】
図６に示すように、吹出風路壁部材２１と据付部材２２とを組み合わせて背面ケース１１を構成させたとき、吹出風路壁部材２１の下側吹出風路壁２１ｄと据付部材２２の吹出風路壁対向部２２ａの間には、空間Ｓが形成される。また、据付部材２２は吹出風路壁部材２１よりも長く、下端部２１ｇと下端部２２ｇとを位置合わせして固定するので、据付部材２２が吹出風路壁部材２１よりも上方に突出して組み合わされて背面ケース１１が構成される。
【００２７】
次に、空間Ｓについて、図７〜図１０を用いて説明する。図７は吹出風路壁部材２１と据付部材２２を組み合わせた背面ケース１１を斜め下側から見た説明図である。即ち、図３に示した分解図を組み立てて吹出風路壁部材２１と据付部材２２とを組み合わせ、室内機１の長手方向に伸びる軸Ｑ（送風ファン５の回転軸と一致）に対し据付板９（ここでは図示せず）に据え付ける背面側に９０度回転させた状態を斜めから見た説明図である。図８は図７のＸ−Ｘ断面を示す説明図、図９は図７のＹ−Ｙ断面を示す説明図、図１０は図７のＺ−Ｚ断面を示す説明図である。
【００２８】
図８は、背面ケース１１の左側を室内機１の長手方向の中央側から見た断面を示しており、吹出風路壁部材２１と据付部材２２とで形成される空間Ｓの左端は、吹出風路壁部材２１の左側板２１ｈで閉じられている。
【００２９】
また、図９は、背面ケース１１の右側を室内機１の長手方向の中央側から見た断面を示しており、吹出風路壁部材２１と据付部材２２とで形成される空間Ｓの右端は、吹出風路壁部材２１の右側板２１ｉで閉じられている。
【００３０】
また、図１０はドレンパン部２１ｂの少し下方での横断面であり、下側から上側を見た断面を示している。この実施の形態では、吹出風路壁部材２１のドレンパン部２１ｂは、据付部材２２のドレンパン部対向部２２ｂと接するように配置されている。このため、空間Ｓの上端は、ドレンパン部２１ｂとドレンパン部対向部２２ｂによって閉じられる。また、空間Ｓの下端は、下端部２１ｇと下端部２２ｇが固定されることによって閉じられる。
【００３１】
なお、左側板２１ｈ、右側板２１ｉの外側には、送風ファン５を回転駆動させるモーター部や前面側熱交換器４ａ及び背面側熱交換器４ｂの付近で生じる着露水を回収する着露水回収機構などが配設され、さらにその左右方向の外側は側面パネル１２で覆われる。
【００３２】
また、据付部材２２は、壁面に固定された据付板９に取り付けられるのであるが、その裏側の下部には接続配管収納部２３が設けられ、この部分には室外機（図示せず）と接続する冷媒配管などが格納される。この接続配管収納部２３は、設置時や室内機１のメンテナンス時に開閉しうるように、側面パネル１２の一部分がねじ止めなどによって、着脱自在に構成される。
【００３３】
背面ケース１１は、樹脂材料のＰＳ（ポリスチレン）を非発泡射出成型した樹脂成形品である。なお、樹脂材料は、ＰＳに限らず、ＡＢＳ（アクリロニトリルブタジエンスチレン）やＰＰ（ポリプロピレン）のような他の汎用樹脂材料でもよい。
【００３４】
次に動作について説明する。図２に示す室内機１を備えた空気調和機の冷房運転では、送風ファン５が回転し、吸込口２から吸い込んだ室内空気を熱交換器４によって冷却し、調和空気として吹出口３から室内に吹き出す。この際、図６に示す背面ケース１１では、吹出風路壁部材２１の送風ファン５側である吹出風路壁２１ａの前面は、調和空気によって冷やされて温度が下がる。同様に吹出風路壁部材２１の背面側熱交換器４ｂに対向する部分、即ち上側吹出風路壁２１ｃの裏面も、背面側熱交換器４ｂによって冷却された調和空気によって冷やされて温度が低下する。即ち、吹出風路壁部材２１の吹出風路壁２１ａにおいて、上側吹出風路壁２１ｃの前後の空間はどちらも冷たい空気が存在することになるので、上側吹出風路壁２１ｃの前面及び裏面に着露水が生じることはない。
【００３５】
次に、吹出風路壁２１ａの下側吹出風路壁２１ｄの背面側に空間Ｓが形成されている部分について説明する。前述のように下側吹出風路壁２１ｄの前面は吹出風路６を流れる調和空気によって冷やされて温度が下がる。
【００３６】
下側吹出風路壁２１ｄと吹出風路壁対向部２２ａの間には、空間Ｓが形成され、この空間Ｓ内の空気による空気層が存在することになる。図８〜図１０に示したように、空間Ｓは前後方向には０．５ｍｍ〜１０ｍｍ程度の長さで、左右方向には筐体１０の長手方向の長さと同様の長さの周囲が密閉された空間である。空間Ｓに外部の空気が流通しがたい構成であり、空間Ｓ内に存在する空気の対流はほとんど生じない。このため、空間Ｓ内の空気層が断熱効果を発揮し、下側吹出風路壁２１ｄと吹出風路壁対向部２２ａとの間の熱の出入りが遮られる。
【００３７】
空間Ｓ内の空気層によって断熱されて、下側吹出風路壁２１ｄの温度低下が吹出風路壁対向部２２ａに伝わるのが防止される。このため、吹出風路壁対向部２２ａは、下側吹出風路壁２１ｄが冷やされても温度が低下することがない。据付部材２２の裏側の空間は接続配管収納部２３であり、室内空気が入り込む可能性があるが、吹出風路壁対向部２２ａが冷やされないので吹出風路壁対向部２２ａの裏側に室内空気があっても冷却されることなく、据付部材２２の裏面に着露するのを防止できる。このため、接続配管収納部２３に着露水回収機構などの水滴落下防止手段を設ける必要がない。
【００３８】
なお、吸込口２から吸い込まれた室内空気が背面側熱交換器４ｂによって冷やされて着露した着露水は、背面側熱交換器４ｂの下方に落下し、ドレンパン部２１ｂに集められる。この集められた着露水は、側面パネル１２の内側で、長手方向の左右のどちらかに設けられた排水機構（図示せず）によって、前面側熱交換器４ａの下方のドレンパン７で集められたドレン水と共に室外に排水される。
【００３９】
特許文献１の従来例では、背面ケースの吹出風路壁部材の裏面で、接続配管収納部に面した部分に着露するために、この部分に着露水の回収機構が必要であった。これに対し、この実施の形態では、背面ケース１１を吹出風路壁部材２１と据付部材２２の２つの部材に分けて分割して構成し、吹出風路壁部材２１と据付部材２２との間に空間Ｓを設けたことによって、据付部材２２の裏面、即ち接続配管収納部２３に着露することのない室内機１を提供できる。空間Ｓによって、従来必要であった背面ケース１１の着露水回収構造に代わる効果が得られ、費用削減、省資源化が可能である。さらに、構造の簡素化も図れる。
【００４０】
また、この実施の形態では、据付部材２２の裏面に着露水が生じることがないので、据付部材２２の裏側の空間を有効に利用できる。ここでは、接続配管を収納する配管収納部２３とし、この空間に着露水回収機構等の水滴落下防止手段が直接的に露出していないので、室内機１の設置時及びメンテナンス時に配管作業しやすく、作業の時間短縮を図ることができる。
【００４１】
なお、空間Ｓ内に室内の空気の出入りが生じないように、空間Ｓの周囲は溶着などによって密閉されているのが望ましいが、樹脂部品同士の嵌合でも空気の出入りを抑制できて空気層による断熱効果が得られる。
【００４２】
ただし、溶着したりシール材を空間Ｓの周囲に貼ったりして、吹出風路壁部材２１と据付部材２２の間をシールすれば、空間Ｓと外部との空気の出入りを確実になくすことができ、空間Ｓ内で空気を対流させず、断熱効果は更に向上する。
【００４３】
また、この実施の形態では、背面ケース１１を、２つの部材（吹出風路壁部材２１と据付部材２２）に分割して構成したので、一体成形したときの形状よりも吹出風路壁部材２１と据付部材２２のそれぞれの形状を単純化できる。例えば、吹出風路壁部材２１の背面側の形状は、断面Ｌ字形状のドレンパン部２１ｂであり、一体として構成した場合よりも上下方向の長さを短くできる（図４参照）。一方、据付部材２２の前面側の形状は、吹出風路壁対向部２２ａからそのままドレンパン部対向部２２ｂに接続され、さらに上端２２ｄに伸びる形状であり（図５参照）、単純な形状である。
【００４４】
背面ケース１１は樹脂材料を射出成形して作られるが、形状が単純化された２つの部材に分割して背面ケース１１を構成することで、樹脂成形時に金型をスライドしやすくできる。特に、特許文献１のような背面ケースを一体に成形する場合には困難であったドレンパン部２１ｂの位置をより下方に形成してドレンパン部２１ｂを深くできる。このため、背面側熱交換器４ｂを上下方向に大きくでき、空気調和機の性能向上を図ることができる。
【００４５】
また、背面ケース１１を吹出風路壁部材２１と据付部材２２の２つの部材で構成したので、次のような効果もある。
【００４６】
背面ケース１１の材料については前に記載したが、吹出風路壁部材２１と据付部材２２の材料は同じでなくてもよい。据付部材２２は直方体状の室内機１の側面と背面に露出される。即ち図３に示すように、側面に露出される背面ケース側面１１ａは据付部材２２の側面である。これに対し、吹出風路壁部材２１は室内機１の内側に収納され、外から見られない部材である。このため、吹出風路壁部材２１には強度や機能を考慮した材料を使用し、据付部材２２には意匠も考慮した材料を使用するというように、異なる材料で成形することができる。例えば、吹出風路壁部材２１に再生材を用いれば、省資源化でき、自然環境への寄与及び費用削減を図ることができる。
【００４７】
また、室内機１の性能改善を図って、熱交換器４の形状を変更する場合に、吹出風路壁部材２１のみを変更すればよいという効果もある。背面ケースが一体で成形されている場合には、熱交換器４の変更に応じて、背面ケース全体を成形しなおす必要があった。これに対し、この背面ケース１１の場合には、据付部材２２の形状はそのままで、吹出風路壁部材２１のみを成形しなおせばよい。このことからも、省資源化、費用削減を図ることができる。
【００４８】
なお、この実施の形態では、吹出風路壁部材２１がドレンパン部２１ｂを有する構成で、空間Ｓは、ドレンパン部２１ｂとドレンパン部対向部２２ｂよりも下方で吹出風路壁部材２１の下側吹出風路壁２１ｄの背面と据付部材２２との間に形成されているが、これに限るものではない。吹出風路壁部材２１と据付部材２２が前後に並列する部分の上下方向の全域に空間を設けてもよい。空間Ｓを設ける上下方向の範囲は、できるだけ広い方がよい。長手方向には背面ケース１１の全域に空間Ｓが設けられている。
【００４９】
図１１は、この発明の実施の形態に係る空気調和機の室内機に係り、他の構成例を示す縦断面図である。図２と同一符号は同一、または相当部分を示す。図２に示した空間Ｓに断熱材２４を設置した例である。
【００５０】
空間Ｓに断熱材２４を設けるには、断熱材２４を、吹出風路壁部材２１の吹出風路壁２１ａの裏面、詳しくは下側吹出風路壁２１ｄの裏面に貼り付ける、または据付部材２２の吹出風路壁対向部２２ａ前面に貼り付けて、吹出風路壁部材２１と据付部材２２を組み合わせればよい。断熱材２４によって、吹出風路壁部材２１の下側吹出風路壁２１ｄと据付部材２２とが、空気で断熱されるよりも確実に断熱される。このため、吹出風路壁部材２１の下側吹出風路壁２１ｄが冷却された調和空気によって温度が下がっても、据付部材２２の温度は下がることがなく、接続配管収納部２３の空気が冷やされないので、据付部材２２の裏面に着露するのを確実に防止できる。
【００５１】
なお、吹出風路壁部材２１の下側吹出風路壁２１ｄの裏面に断熱材２４を接着剤によって貼り付けて固定し、据付部材２２で背面側から押えることで、経時的な断熱材２４の浮き等をなくすことが可能となる。しかも、接続配管収納部２３に断熱材２４が露出することがなく、配管作業等で断熱材２４が剥がれたりする心配もない。
【００５２】
断熱材２４の固定は、接着剤による貼り付け固定に限定されるものではない。例えば、下側吹出風路壁２１ｄの裏面に、背面側へと折り返し片や突起による固定枠を一体形成し、その固定枠に断熱材２４を嵌めこんで固定してもよい。ただし、接着剤による貼り付け固定の方が下側吹出風路壁２１ｄの背面と断熱材２４とを確実に接触させることができる利点がある。
【００５３】
また、最も簡単には、下側吹出風路壁２１ｄと吹出風路壁対向部２２ａの間に単に断熱材２４を圧縮させて挟み込んで、吹出風路壁部材２１と据付部材２２とを組み合わせて背面ケース１１を形成してもよい。
【００５４】
この室内機１では、断熱材２４として、断熱性が高く汎用性がある利点を活かして、発泡成形された発泡樹脂を用いており、その中でも特に汎用性の高いポリスチレン（ＰＳ）を発泡射出成形した発泡スチロール（発泡ポリスチレン）を使用している。なお、断熱材２４は発泡スチロールに限定するものではなく、発泡ポリエチレンや発泡ポリウレタンなどの他の発泡樹脂であってもよい。また、発泡樹脂ではないガラス繊維でできたグラスウールなども利用可能である。
【００５５】
また、空間Ｓ内に設置する断熱材２４は、一種類でなくてもよく、数種類の断熱材を組み合わせてもよい。例えば再生による複数の断熱材を用いてもよい。
【００５６】
さらに、断熱材２４は、空間Ｓの上下方向及び左右方向の全域に設けずに、一部だけでもよい。ただし、全域に設ける方がより断熱効果を向上できて望ましい。
【００５７】
以上のように、この実施の形態では、背面ケース１１が、送風ファン５から吹出される空気の吹出風路６を形成する吹出風路壁部材２１と、吹出風路壁部材２１の背面側に位置し、室内の壁面に固定される据付板に取り付けられる据付部材２２と、を前後に並列して構成され、吹出風路壁部材２１の吹出風路壁２１ａの背面と据付部材２２との間に第一の空間Ｓが形成されることにより、冷房運転時に、背面ケース１１の裏面に着露が生じるのを防止できる空気調和機の室内機を得ることができる効果がある。
【００５８】
また、この実施の形態では、第一の空間Ｓに断熱材２４が設置されることにより、吹出風路壁２１ａと吹出風路壁対向部２２ａとの間の断熱効果を高めることができる。
【００５９】
また、この実施の形態では、断熱材２４を吹出風路壁部材２１の背面に接して固定し、その断熱材２４の背面側に据付部材２２が固定されることにより、吹出風路壁２１ａの背面と断熱材２４とを確実に接触させることができる。
【００６０】
また、この実施の形態では、据付部材２２は吹出風路壁部材２１よりも上下方向に長く、据付部材２２の下端部２２ｇに吹出風路壁部材２１の下端部２１ｇが固定され、据付部材２２が吹出風路壁部材２１よりも上方に突出して組み合わされることにより、吹出風路壁部材２１と据付部材２２との間に第一の空間Ｓが形成されると共に、２つ部材（吹出風路壁部材２１と据付部材２２）で構成した背面ケース１１のそれぞれの形状を樹脂成形しやすくできる効果がある。
【００６１】
また、この実施の形態では、背面ケース１１が、送風ファン５から吹出される空気の吹出風路６を形成する吹出風路壁部材２１と、吹出風路壁部材２１の背面側に位置し、室内の壁面に固定される据付板９に取り付けられる据付部材２２と、を前後に並列して構成され、吹出風路壁部材２１は、熱交換器４であって送風ファン５の背面側に配置される熱交換器４ｂの下方に、熱交換器４ｂで着露して落下する水滴を受ける断面Ｌ字形状のドレンパン部２１ｂを有することにより、２つ部材（吹出風路壁部材２１と据付部材２２）で構成した背面ケース１１のそれぞれの形状を樹脂成形しやすく、異なる材質で成形して省資源化を図ることができる効果がある。
【００６２】
また、この実施の形態では、据付部材２２の背面側に、接続配管を収納する配管収納部２３を形成したことにより、室内機１の設置時及びメンテナンス時に配管作業がしやすいという効果を奏する。
【００６３】
実施の形態２．
図１２は、この発明の実施の形態２に係る空気調和機の室内機を示す縦断面図である。図中、図２と同一符号は同一、または相当部分を示す。
【００６４】
この実施の形態では、吹出風路壁部材２１の下側吹出風路壁２１ｄと据付部材２２の吹出風路壁対向部２２ａとの間の空間Ｓ（第一の空間Ｓ）に接続して、吹出風路壁部材２１のドレンパン部２１ｂと据付部材２２のドレンパン部対向部２２ｂとの間にも空間Ｔ（第二の空間Ｔ）を設けた。第二の空間Ｔ（以下、空間Ｔと記す）は縦断面でＬ字形状である。
【００６５】
空気調和機の冷房運転では、吸込口２から吸い込んだ室内空気を前面側熱交換器４ａ及び背面側熱交換器４ｂで冷媒配管内を流れる冷媒と熱交換して、室内空気の温度を下げて空気調和する。背面ケース１１の周辺において、室内空気が背面側熱交換器４ｂで冷やされると、室内空気に含まれる水蒸気が露となって背面側熱交換器４ｂを構成する部材、例えばフィンに着露して、しだいに重力で下方に流れてくる。
【００６６】
この着露水は背面側熱交換器４ｂから落下して吹出風路壁部材２１の断面Ｌ字形状のドレンパン部２１ｂで受けられる。ドレンパン部２１ｂに落下した着露水は、排水機構（図示せず）によって室外へと導かれるのであるが、着露水の温度は調和空気と同様であり、室内空気よりも低い。このため、実施の形態１のように吹出風路壁部材２１のドレンパン部２１ｂと据付部材２２のドレンパン部対向部２２ｂとが接していると、着露水がドレンパン部２１ｂに溜まった場合、吹出風路壁部材２１のドレンパン部２１ｂ及び据付部材２２のドレンパン部対向部２２ｂが着露水によって冷やされる可能性がある。ドレンパン部対向部２２ｂが冷やされると、据付部材２２の裏側の空間である接続配管収納部２３のドレンパン部対向部２２ｂ周辺の空気が冷やされてドレンパン部対向部２２ｂの裏面に着露することになる。
【００６７】
この実施の形態では、空間Ｔが、吹出風路壁部材２１のドレンパン部２１ｂと据付部材２２のドレンパン対向部２２ｂの間に形成されている。室内機１の長手方向の両端の構造は、図８、図９と同様であり、空間Ｔの左右端は左側板２１ｈ、右側板２１ｉによって閉じられている。また、空間Ｔの上端は、吹出風路壁部材２１の爪部２１ｅと据付部材２２の爪固定部２２ｃを嵌めあわせることで、閉じられる。さらに、空間Ｔに続く空間Ｓの下端は、実施の形態１と同様、吹出風路壁部材２１の下端部２１ｇと据付部材２２の下端部２２ｇとを位置合わせしてボルト固定されることで、閉じられる。空間Ｓと空間Ｔは連通しているが、周囲の空気が自由に出入りしがたい閉じられた空間を構成しており、この空間Ｓ、Ｔの空気層が介在することで、吹出風路壁部材２１の下側吹出風路壁２１ｄと据付部材２２の吹出風路壁対向部２２ａとの間、及びドレンパン部２１ｂとドレンパン部対向部２２ｂとの間が断熱される。
【００６８】
即ち、空間Ｓ、Ｔに存在する空気によって、調和空気や着露水による吹出風路壁部材２１の温度低下が据付部材２２に伝わることなく、吹出風路壁部材２１が冷やされても、据付部材２２の温度低下を防止できる。即ち、据付部材２２の裏面付近の空気温度が据付部材２２によって冷やされないので、据付部材２２の裏面に着露するのを防止できる。このため、接続配管収納部２３に着露水回収機構などの水滴落下防止手段を設ける必要がない。
【００６９】
この実施の形態では、実施の形態１に加え、ドレンパン部２１ｂとドレンパン部対向部２２ｂとの間も空間Ｔに存在する空気層によって断熱されており、ドレンパン部２１ｂに背面側熱交換器４ｂ付近の着露水が溜まってドレンパン部２１ｂが冷やされても、背面ケース１１の裏面に着露するのが防止される。
【００７０】
図１３は、この実施の形態の別の構成例を示す室内機１の縦断面図である。図１２と同一符号は同一、または相当部分を示す。この構成では、空間Ｓ、Ｔに断熱材２５を設置している。実施の形態１と同様、空間Ｓ、Ｔに断熱材２５を設ければ、断熱効果をさらに向上することができ、背面ケース１１の裏面に着露するのをさらに防止できる。断熱材２５の材料や設置方法については、実施の形態１と同様である。
【００７１】
なお、ここでは断熱材２５を空間Ｓと空間Ｔの上下方向及び左右方向の全域に設置したが、全域ではなく一部、例えば空間Ｓの部分にのみ断熱材２５を設置してもよい。ただし、断熱効果を考慮すると、全域に断熱材２５を設置するのが望ましい。断熱材２５は一体でなく、複数を組み合わせてもよいことも、実施の形態１と同様である。
【００７２】
以上のように、この実施の形態では、吹出風路壁部材２１は、送風ファン５の背面側に配置される熱交換器４ｂの下方に、熱交換器４ｂで着露して落下する水滴を受ける断面Ｌ字形状のドレンパン部２１ｂを有し、ドレンパン部２１ｂと据付部材２２との間に第二の空間Ｔが形成されることにより、冷房運転時に、背面ケース１１の裏面に着露が生じるのを防止できる空気調和機の室内機を得ることができる効果がある。
【００７３】
また、この実施の形態では、第二の空間Ｔに断熱材２５が設置されることにより、ドレンパン部２１ｂとドレンパン部対向部２２ｂとの間の断熱効果を高めることができる。
【００７４】
実施の形態３．
図１４は、この発明の実施の形態３による空気調和機の室内機を示す縦断面図である。この実施の形態は、熱交換器４が送風ファン５の前面側のみに配置され、背面側には熱交換器を備えていない室内機１に関するものである。図中、図２と同一符号は同一、または相当部分を示す。
【００７５】
この実施の形態に係る空気調和機の室内機１は、実施の形態１と同様、上面に吸込口２、前面側下部に吹出口３が形成され、吸込口２から吹出口３に室内空気を送風する送風ファン５と、送風ファン５の上流側に配置される熱交換器４と、送風ファン５の背面側に配置され熱交換器４を支持する背面ケース３３と、を有し、室内の壁面に設置される。
【００７６】
背面ケース３３は、吹出風路壁部材３１と据付部材３２の２つの部材に分割して構成される。吹出風路壁部材３１と据付部材３２を前後に距離をあけて並列して、吹出風路壁部材３１の背面と据付部材３２の前面との間に空間Ｕ（第一の空間）を形成する。この第一の空間Ｕ（以下、空間Ｕと記す）は、前後方向に例えば０．５ｍｍ〜１０ｍｍ程度、左右方向には筐体１０の長手方向と同程度に伸びる空間であり、周辺の空気が自由に出入りしない程度に周囲が閉じられている。
【００７７】
吹出風路壁部材３１は、据付部材３２よりも上下方向に長く、吹出風路６の背面の風路壁となる下側吹出風路壁３１ａを有する。吹出風路壁部材３１よりも上下方向に長い据付部材３２は、下側吹出風路壁３１ａの背面側に空間Ｕを介して対向する吹出風路壁対向部３２ａと、吹出風路壁対向部３２ａの上方に続いて上側の吹出風路壁を形成する上側吹出風路壁３２ｃを有する。吹出風路壁上流端３２ｂは、背面ケース３３のうちで、室内機１の縦断面において送風ファン５に最も近くに位置し、吹出風路壁上流端３２ｂ辺りから吹出口３までが吹出風路６となる。即ち、据付部材３２の上側吹出風路壁３２ｃと吹出風路壁部材３１の下側吹出風路壁３１ａとで、吹出風路６に対して凹むように湾曲した吹出風路壁を形成している。上側吹出風路壁３２ｃは、実施の形態１における上側吹出風路壁２１ｃに相当し、下側吹出風路壁３１ａは、実施の形態１における下側吹出風路壁２１ｄに相当する。
【００７８】
吹出風路壁部材３１と据付部材３２は、吹出風路壁部材３１の上端に設けた爪部３１ｂを爪固定部３２ｅに嵌めあわせて固定される。背面ケース３３の下端部の形状は、実施の形態１と同様である。背面ケース３３は、吹出風路壁部材３１と据付部材３２とが組み合わされた後、空調する室内の壁面に据え付けられる。
【００７９】
据付部材３２の上端３２ｄは筐体１０の上面と同様の位置であり、この上端３２ｄの長手方向の数か所に形成されている爪を金属製の据付板９に引っ掛けて固定される。
【００８０】
また、据付部材３２は爪固定部３２ｅの背面付近にリブ３４を有する。このリブ３４は実施の形態１のドレンパン部２１ｂと同様、リブ３４の上方で生じる着露水を集めるためのものである。リブ３４は据付部材３２と一体に成形され、据付部材３２の裏面から斜め上方に向かって傾斜する断面形状を有する。リブ３４の左右方向は、室内機１の長手方向に伸び、室内機１左右の長さと同様である。リブ３４は、左右方向の中央部分から左右端に向かって若干下り傾斜になるように構成される。ここで、リブ３４は据付部材３２と一体に成形されなくてもよく、据付部材３２の背面に接着剤や爪固定やボルト固定などで固定されてもよい。
【００８１】
次に動作について説明する。この室内機１を備えた空気調和機の冷房運転では、実施の形態１と同様、送風ファン５が回転し、吸込口２から吸い込んだ室内空気を熱交換器４によって冷却し、調和空気として吹出口３から室内に吹き出す。この際、吹出風路壁部材３１と据付部材３２の送風ファン５側、即ち吹出風路壁上流端３２ｂから上側吹出風路壁３２ｃ、下側吹出風路壁３１ａを通って吹出口３に至る部分の前面は、調和空気によって冷やされて温度が下がる。
【００８２】
据付部材３２の吹出風路壁上流端３２ｂから上側吹出風路壁３２ｃの背面には、据付部材３２の背面側付近にある空気が冷やされて着露する。この部分で生じた着露水は、上側吹出風路壁３２ｃの裏面に沿って下方に流れ、リブ３４の傾斜によって受け止められる。そして、長手方向の左右端のどちらかに流れ、側面パネル１２（図１参照）の内側に設けられている排水機構（図示せず）によって、送風ファン５の前面側のドレンパン７で集められたドレン水と共に室外に排水される。
【００８３】
下側吹出風路壁３１ａの前面も温度の低い調和空気によって温度が下がるが、吹出風路壁部材３１と据付部材３２の間に形成されている空間Ｕに存在する空気層によって断熱されるので、下側吹出風路壁３１ａの温度低下が吹出風路壁対向部３２ａに伝わらない。吹出風路壁対向部３２ａの温度が低下することがないので、吹出風路壁対向部３２ａの裏面の周辺の空気が冷やされることなく、吹出風路壁対向部３２ａの裏面に着露するのを防止できる。このため、実施の形態１と同様、背面ケース３３の背面に位置する接続配管収納部２３に着露水回収機構などの水滴落下防止手段を設ける必要がない。
【００８４】
なお、空間Ｕは、上下方向でリブ３４の下方に設けているが、もっと上方にまで設けてもよい。上下方向に広い範囲に空間Ｕを形成すれば、広い範囲で断熱効果を奏することができる。背面ケース３３の裏面の広い範囲で着露を防止すれば、リブ３４に溜まる着露水の量を低減でき、リブ３４の前後方向の長さを短くできる。また、構成によってはリブ３４を設けなくてもよい。
【００８５】
また、実施の形態１と同様、空間Ｕに断熱材を設置すれば、断熱効果を向上できる効果がある。また、空間Ｕ内に外部の空気が循環しにくいように、吹出風路壁部材３１と据付部材３２の間の空間Ｕの周囲は、溶着などによって密閉されているのが望ましいのも、実施の形態１と同様である。
【００８６】
また、実施の形態１と同様、爪部３１ｂと爪固定部３２ｅでの吹出風路壁部材３１と据付部材３２との固定方法や、上端３２ｄでの据付板９への固定方法などは、この実施の形態に限るものではなく、他の形状で嵌合させてもよいし、爪固定やボルト固定や接着固定でもよい。
【００８７】
以上のように、この実施の形態では、上部の吸込口２から前面側下部の吹出口３に室内空気を送風する送風ファン５と、送風ファン５の上流側に配置される熱交換器４と、送風ファン５よりも壁面寄りに位置して熱交換器４を支持する背面ケース３３と、を有し、室内の壁面に設置される空気調和機の室内機であって、背面ケース３３が、送風ファン５から吹出される空気の吹出風路６を形成する吹出風路壁部材３１と、吹出風路壁部材３１の背面側に位置し、室内の壁面に固定される据付板に取り付けられる据付部材３２と、を前後に並列して構成され、吹出風路壁部材３１の吹出風路壁３１ａの背面と据付部材３２との間に第一の空間Ｕを形成することにより、冷房運転時に、背面ケース３３の裏面で着露が生じるのを防止できる空気調和機の室内機を得ることができる効果がある。
【符号の説明】
【００８８】
１  空気調和機の室内機、２  吸込口、３  吹出口、４  熱交換器、４ａ  前面側熱交換器、４ｂ  背面側熱交換器、５  送風ファン、６  吹出風路、７  ドレンパン、８  接続配管、９  据付板、１０  筐体、１１  背面ケース、１１ａ  背面ケース側面、１２  側面パネル、１３  前面パネル、２１  吹出風路壁部材、２１ａ  吹出風路壁、２１ｂ  ドレンパン部、２１ｃ  上側吹出風路壁、２１ｄ  下側吹出風路壁、２１ｅ  爪部、２１ｆ  通し穴、２１ｇ  下端部、２１ｈ  左側板、２１ｉ  右側板、２２  据付部材、２２ａ  吹出風路壁対向部、２２ｂ  ドレンパン部対向部、２２ｃ  爪固定部、２２ｄ  上端、２２ｆ  ねじ穴、２２ｇ  下端部、２３  接続配管収納部、２４  断熱材、２５  断熱材、３１  吹出風路壁部材、３１ａ  下側吹出風路壁、３１ｂ  爪部、３２  据付部材、３２ａ  吹出風路壁対向部、３２ｂ  吹出風路壁上流端、３２ｃ  上側吹出風路壁、３２ｄ  上端、３２ｅ  爪固定部、３３  背面ケース、３４  リブ、Ｓ  第一の空間、Ｔ  第二の空間、Ｕ  第一の空間、Ｑ  長手方向に伸びる軸。
【図１】
2016023891.tif 000003
【図２】
2016023891.tif 000004
【図３】
2016023891.tif 000005
【図４】
2016023891.tif 000006
【図５】
2016023891.tif 000007
【図６】
2016023891.tif 000008
【図７】
2016023891.tif 000009
【図８】
2016023891.tif 000010
【図９】
2016023891.tif 000011
【図１０】
2016023891.tif 000012
【図１１】
2016023891.tif 000013
【図１２】
2016023891.tif 000014
【図１３】
2016023891.tif 000015
【図１４】
2016023891.tif 000016